(57)【要約】【課題】液々熱交換器を必要とせず、しかも、ミスト噴出部からの冷たい水の噴出により使用者に不快感を与えることのない浴用ミスト装置を提供する。【解決手段】ミスト用湯水温度検出手段ＴＨ１と、ミスト運転の停止継続時間を計測する停止継続時間計測手段と、ミスト運転停止時点のミスト用湯水の温度に応じて、停止継続時間に対する閾値時間を設定する閾値時間設定部とを備え、停止継続時間が閾値時間以下のとき、浴室外の第１のミストサウナスイッチ３４、および、浴室内の第２のミストサウナスイッチ１３４のいずれかの操作によってミスト運転を実行し、停止継続時間が閾値時間を超えるとき、第２のミストサウナスイッチが操作されてもミスト運転を実行せず、第１のミストサウナスイッチの操作によってミスト運転を実行するようにする。【選択図】図１
2018064793.tif 000002
【特許請求の範囲】
【請求項１】
浴室に設置され、ミスト噴霧の開始を指令するミスト噴霧開始指令手段と、
ミスト用湯水をミスト状に噴出するミスト噴出手段と、
ミスト用湯水の温度を設定するミスト用湯水温度設定部を備え、ミスト用給湯管路を経由して、所定の温度に設定されたミスト用湯水を前記ミスト噴出手段に供給する給湯手段と、
前記ミスト噴霧開始指令手段の操作によって、前記ミスト用湯水を前記ミスト噴出手段からミスト状に噴出するミスト運転を実行する制御部とを備えた浴用ミスト装置であって、
前記給湯手段から供給され、前記ミスト用給湯管路を通流する前記ミスト用湯水の温度を検出するミスト用湯水温度検出手段と、
前記ミスト運転の実行から停止への移行を行ったミスト運転停止時点から、前記ミスト運転の停止継続時間を計測する停止継続時間計測手段と、
前記ミスト運転停止時点における前記ミスト用湯水の温度に応じて、前記停止継続時間に対する閾値時間を設定する閾値時間設定部と、を備え、
（ａ）前記停止継続時間が前記閾値時間以下であるときには、前記浴室の外に設置される浴室外用の操作器が備える第１のミストサウナスイッチ、および、前記浴室に設置される浴室内用の操作器が備える第２のミストサウナスイッチが、前記ミスト噴霧開始指令手段として機能し、前記第１のミストサウナスイッチの操作、あるいは、前記第２のミストサウナスイッチの操作によって前記制御部が前記ミスト運転を実行し、
（ｂ）前記停止継続時間が前記閾値時間を超えるときには、前記第２のミストサウナスイッチが操作されても前記制御部が前記ミスト運転を実行せず、前記第１のミストサウナスイッチが前記ミスト噴霧開始指令手段として機能し、前記第１のミストサウナスイッチの操作によって、前記制御部が前記ミスト運転を実行するように構成されていること
を特徴とする浴用ミスト装置。
【請求項２】
前記閾値時間設定部が、前記ミスト運転停止時点における前記ミスト用湯水の温度に応じて前記閾値時間を設定するように構成されているとともに、前記ミスト運転停止時点における前記ミスト用湯水の温度が所定の温度よりも低いときには前記閾値時間を短く設定し、前記ミスト運転停止時点における前記ミスト用湯水の温度が所定の温度より高いときには前記閾値時間を長く設定するように構成されていることを特徴とする請求項１記載の浴用ミスト装置。
【請求項３】
前記停止継続時間が前記閾値時間を超えるとき、前記第２のミストサウナスイッチが操作された場合にも前記ミスト運転を実行しない旨を報知する報知部を備えていることを特徴とする請求項１または２記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が普及するに至っている。
【０００３】
そのような浴用ミスト装置のひとつとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
この浴用ミスト装置を用いることにより、液々熱交換器において適切な温度に加熱された湯水を、ミスト噴出手段からミスト状に噴出させて、手軽にミスト浴を楽しむことが可能になり、有意義である。
【０００５】
また、特許文献１の浴用ミスト装置は、熱源手段から熱媒循環路を経て供給される熱媒により、浴室から吸い込んだ空気を加熱し、加熱された空気を浴室に吹き出して浴室を暖房する暖房機能を備えている。したがって、特許文献１の浴用ミスト装置を備えている場合、ミスト浴を楽しむとともに、快適な入浴を行うことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出され、使用者に不快感を与えることがないように構成されているが、給水路を通流する水を加熱するための液々熱交換器が必要であることから、製造コストの増大、構造の複雑化を招くという問題点がある。
【０００８】
本発明は、上記の課題を解決するものであり、液々熱交換器を必要とせず、製造コストを低減することが可能で、しかも、ミスト噴出部からの冷たい水の噴出により使用者に不快感を与えることのない浴用ミスト装置を提供することを目的とする。
【課題を解決するための手段】
【０００９】
上記の目的を達成するために、本発明の浴用ミスト装置は、
浴室に設置され、ミスト噴霧の開始を指令するミスト噴霧開始指令手段と、
ミスト用湯水をミスト状に噴出するミスト噴出手段と、
ミスト用湯水の温度を設定するミスト用湯水温度設定部を備え、ミスト用給湯管路を経由して、所定の温度に設定されたミスト用湯水を前記ミスト噴出手段に供給する給湯手段と、
前記ミスト噴霧開始指令手段の操作によって、前記ミスト用湯水を前記ミスト噴出手段からミスト状に噴出するミスト運転を実行する制御部とを備えた浴用ミスト装置であって、
前記給湯手段から供給され、前記ミスト用給湯管路を通流する前記ミスト用湯水の温度を検出するミスト用湯水温度検出手段と、
前記ミスト運転の実行から停止への移行を行ったミスト運転停止時点から、前記ミスト運転の停止継続時間を計測する停止継続時間計測手段と、
前記ミスト運転停止時点における前記ミスト用湯水の温度に応じて、前記停止継続時間に対する閾値時間を設定する閾値時間設定部と、を備え、
（ａ）前記停止継続時間が前記閾値時間以下であるときには、前記浴室の外に設置される浴室外用の操作器が備える第１のミストサウナスイッチ、および、前記浴室に設置される浴室内用の操作器が備える第２のミストサウナスイッチが、前記ミスト噴霧開始指令手段として機能し、前記第１のミストサウナスイッチの操作、あるいは、前記第２のミストサウナスイッチの操作によって前記制御部が前記ミスト運転を実行し、
（ｂ）前記停止継続時間が前記閾値時間を超えるときには、前記第２のミストサウナスイッチが操作されても前記制御部が前記ミスト運転を実行せず、前記第１のミストサウナスイッチが前記ミスト噴霧開始指令手段として機能し、前記第１のミストサウナスイッチの操作によって、前記制御部が前記ミスト運転を実行するように構成されていること
を特徴としている。
【００１０】
本発明の浴用ミスト装置においては、前記閾値時間設定部が、前記ミスト運転停止時点における前記ミスト用湯水の温度に応じて前記閾値時間を設定するように構成されているとともに、前記ミスト運転停止時点における前記ミスト用湯水の温度が所定の温度よりも低いときには前記閾値時間を短く設定し、前記ミスト運転停止時点における前記ミスト用湯水の温度が所定の温度より高いときには前記閾値時間を長く設定するように構成されていることが好ましい。
【００１１】
また、前記停止継続時間が前記閾値時間を超えるとき、前記第２のミストサウナスイッチが操作された場合にも前記ミスト運転を実行しない旨を報知する報知部を備えていることが好ましい。
【発明の効果】
【００１２】
本発明の浴用ミスト装置は、上述のように構成され、給湯手段から供給され、ミスト用給湯管路を通流するミスト用湯水の温度を検出するミスト用湯水温度検出手段と、ミスト運転の実行から停止への移行を行ったミスト運転停止時点から、ミスト運転の停止継続時間を計測する停止継続時間計測手段と、ミスト運転停止時点におけるミスト用湯水の温度に応じて、停止継続時間に対する閾値時間を設定する閾値時間設定部とを備えているとともに、
（ａ）停止継続時間が閾値時間以下であるときには、浴室の外に設置される浴室外用の操作器が備える第１のミストサウナスイッチ、および、浴室に設置される浴室内用の操作器が備える第２のミストサウナスイッチが、ミスト噴霧開始指令手段として機能し、第１のミストサウナスイッチの操作、あるいは、第２のミストサウナスイッチの操作によって制御部がミスト運転を実行し、
（ｂ）停止継続時間が閾値時間を超えるときには、第２のミストサウナスイッチが操作されても制御部がミスト運転を実行せず、第１のミストサウナスイッチがミスト噴霧開始指令手段として機能し、第１のミストサウナスイッチの操作によって、制御部がミスト運転を実行するように構成されているので、
液々熱交換器を必要とせず、製造コストを低減することが可能で、かつ、使用者が低温のミストを不用意に浴びることを防止することが可能で、使用者に不快感を与えてしまうことのない浴用ミスト装置を実現することができる。
【００１３】
すなわち、本発明の浴用ミスト装置は、液々熱交換器を必要としないので、部品点数を減らし、構成を簡潔にして、製造コストを低減することが可能で、かつ、ミスト運転の停止継続時間が閾値時間を超えるときには、浴室内用の操作器に備える第２のミストサウナスイッチが操作されてもミスト運転を実行せず、浴室外用の第１のミストサウナスイッチの操作によって、ミスト運転を実行するので、使用者が低温のミスト噴出部から噴霧されるミストを不用意に浴びることを防止することができる。その結果、製造コストを低減するとともに、冷たい水が噴出されることで使用者に不快感を与えることのない浴用ミスト装置を提供することが可能になる。
【００１４】
また、本発明の浴用ミスト装置において、閾値時間設定部が、ミスト運転停止時点におけるミスト用湯水の温度に応じて閾値時間を設定するように構成されているとともに、閾値時間設定部が、ミスト運転停止時点におけるミスト用湯水の温度が所定の温度よりも低いときには閾値時間を短く設定し、ミスト運転停止時点におけるミスト用湯水の温度が所定の温度より高いときには閾値時間を長く設定する（すなわち、ミスト運転停止時点におけるミスト用湯水の温度が高いほど、閾値時間を長く設定する）ように構成されている場合、浴室内用の操作器が備える第２のミストサウナスイッチが操作されてもミスト運転を実行しない状態が、無用に高頻度に現出することが抑制されるので、使い勝手のよい浴用ミスト装置を提供することが可能になる。
【００１５】
また、停止継続時間が閾値時間を超えるとき、第２のミストサウナスイッチが操作された場合にもミスト運転を実行しない旨を報知する報知部を備えた構成とした場合、使用者が、第２のミストサウナスイッチが操作されてもミスト運転を実行しない旨を知ることができるため、さらに使い勝手のよい浴用ミスト装置を提供することが可能になる。
【図面の簡単な説明】
【００１６】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室内用の操作器の正面図である。
【発明を実施するための形態】
【００１７】
以下、本発明の実施形態を示して、その特徴とするところをさらに詳しく説明する。
【００１８】
［実施形態］
この実施形態にかかる浴用ミスト装置は、図１〜３に示すように、ユニットバスなどの浴室２に設置されるミスト機能付浴室暖房乾燥機（以下、単に「浴室暖房乾燥機Ａ」という）として構成されている。
【００１９】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴を実行する機能を備えている。
【００２０】
また、この浴室暖房乾燥機Ａを浴室２に設置するにあたっては、例えば、図３に示すように、浴槽７の上方の、浴室２の天井８に設置される。
【００２１】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２２】
また、図１および図２に示すように、浴室暖房乾燥機本体９内には、温風用熱交換器１３および送風機１４（１４ａ，１４ｂ）が内装されている。
【００２３】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
なお、上述の熱源機（暖房用温水供給用熱源機）１６は、本発明の浴用ミスト装置における給湯手段を兼ねるように構成されている。
【００２４】
また、図１および図２に示すように、暖房用温水管路１５には温風用熱交換器１３への温水の供給を開閉する熱動弁（本発明の浴用ミスト装置における暖房用温水通流制御部）１７が設けられており、暖房用温水管路１５にはこの管路を流れる温水の温度を検出する暖房温水サーミスタＴＨ２が配設されている。
【００２５】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２６】
図１に示すように、この実施形態にかかる浴室暖房乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００２７】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２８】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００２９】
図２に示すように、ミストノズル４として、３．０リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状に噴霧される。
【００３０】
そして、２つのミストノズル４（４ａ，４ｂ）の両方から温水のミストを噴霧すると、ミスト用給湯管路２０に６．０リットル／ｍｉｎの温水が通流し「強」に相当するミスト量でミストが噴霧され、脱衣所用の操作器５に備える強ＬＥＤ３４ａ、及び、浴室２内に設けた操作器３０に備える強ＬＥＤ１３４ａが点灯し、２つのミストノズル４ａ，４ｂの一方から温水のミストを噴霧すると、ミスト用給湯管路２０に３．０リットル／ｍｉｎの温水が通流し「弱」に相当するミスト量でミストが噴霧され、脱衣所用の操作器５に備える弱ＬＥＤ３４ｂ、および、浴室２内に設けた操作器３０に備える弱ＬＥＤ１３４ｂが点灯するように構成されている。
【００３１】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３２】
ミスト用給湯管路２０には、本発明における給湯手段としても機能する熱源機１６から温水が供給されるように構成されており、入口側から順にストレーナ２２、給湯電磁弁２３が設けられている（図１、図２）。ただし、図３においては、給湯配管の図示は省略している。
なお、ミスト用湯水を、熱源機１６とは別に配設された給湯手段から供給するように構成することも可能である。
【００３３】
また、この実施形態にかかる浴室暖房乾燥機Ａの取扱説明書には、浴室２の温度が、給湯手段（熱源機）１６が備える、後述のミスト用湯水温度設定部における設定温度に維持される旨（つまり、給湯手段を兼ねる熱源機１６の出湯設定温度を設定することで、浴室暖房を行う場合における希望温度（暖房設定温度）が設定されることになる旨）が記載されている。
【００３４】
そのため、使用者は、熱源機１６で設定された温度が暖房設定温度となることを認識した上で、熱源機１６における給湯温度を設定することとなり、その温度で温水の供給が行われ、浴室の暖房が行われることになるため、使用者が驚いたり、不快に感じたりすることが抑制、防止される。
【００３５】
このように、浴室暖房を行う場合は、浴室暖房についての希望暖房温度（暖房設定温度）となるように、給湯手段（熱源機１６）の出湯設定温度を設定することになるため、浴室内用の操作器３０には、浴室暖房時において浴室内の温度を設定するスイッチは設けられていない（図６参照）。
【００３６】
なお、浴室暖房を実行したとき、この浴室暖房によって浴室２内の温度が、給湯手段（熱源機１６）から供給されるミスト用湯水の温度に制御される点については後述する。
【００３７】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３８】
また、浴室暖房乾燥機Ａは、図３に示すように、浴室２外の脱衣所に設けた操作器（浴室外用の操作器）５や浴室２内に設けた操作器（浴室内用の操作器）３０にてリモコン操作されるように構成されている。
【００３９】
図５に示すように、浴室外用（脱衣所用）の操作器５には、タイマー表示部３１、タイマー設定スイッチ３２、風向スイッチ３３、ミストサウナスイッチ（第１のミストサウナスイッチ）３４、乾燥スイッチ６、暖房スイッチ３６、涼風スイッチ３７、換気スイッチ３８、停止スイッチ３９が設けられている。
【００４０】
また、図６に示すように、浴室内用の操作器３０には、状態表示部４０、浴室内ミストサウナスイッチ（第２のミストサウナスイッチ）１３４、浴室内暖房スイッチ１３６、浴室内涼風スイッチ１３７、浴室内風向スイッチ１３３、ミスト入浴時間計測用のストップウォッチのスタート／ストップスイッチ４３、リセットスイッチ４５、浴室内停止スイッチ１３９が設けられている。
【００４１】
また、この実施形態にかかる浴室暖房乾燥機Ａにおいては、グリル板１２の吸い込み口１近傍に、吸気の湿度を検知する湿度検出手段２７（図１、図２）が配設されている。
湿度検出手段２７としては、例えば、ＮＴＣサーミスタなどの感温素子で構成された湿度センサを用いることができる。
【００４２】
また、図４は、浴用ミスト装置（を備えた浴室暖房乾燥機Ａ）の制御部Ｂの一例を示す図である。制御部Ｂには、メモリ２８、演算回路２９などが内蔵され、上記浴室外用の操作器５や浴室内用の操作器３０をリモコン操作することで制御部Ｂにて、以下に説明するような制御が行われるように構成されている。
【００４３】
次に、この実施形態にかかるミスト機能付浴室乾燥機（浴室暖房乾燥機）Ａにおいて、浴室暖房を実行したとき、浴室暖房によって浴室２内の温度が、本発明における給湯手段を兼ねる熱源機１６から供給されるミスト用湯水の温度に制御される点について説明する。
【００４４】
この実施形態の浴室暖房乾燥機Ａにおいては、上述のように、給湯手段（熱源機）１６が、供給する温水の温度、すなわち、ミスト用湯水の温度を設定するミスト用湯水温度設定部（図示せず）を備えている。
【００４５】
制御部Ｂは、浴室温度サーミスタＴＨ３による検出温度（浴室から吸い込んだ空気の温度）が、ミスト温度サーミスタ（ミスト用湯水温度検出手段）ＴＨ１で検出される温度より高いとき、熱動弁１７を制御して暖房用温水管路１５を通流する暖房用温水の通流を遮断する。
【００４６】
また、制御部Ｂは、浴室温度サーミスタＴＨ３による検出温度（浴室から吸い込んだ空気の温度）が、ミスト温度サーミスタ（ミスト用湯水温度検出手段）ＴＨ１で検出される温度より低いとき、熱動弁１７を制御して暖房用温水管路１５を通流する暖房用温水の通流を維持する。
【００４７】
暖房用温水管路１５を通流する温水の温度は、通常、７０℃から８０℃程度に設定されているので、制御部Ｂが熱動弁１７を制御して暖房用温水管路１５を通流する暖房用温水の通流を維持したときには、浴室２から吸い込まれた空気が温風用熱交換器１３によって加熱され、浴室２から吸い込まれた空気の温度が上昇して浴室２内に戻される。
【００４８】
また、制御部Ｂが熱動弁１７を制御して暖房用温水管路１５を通流する暖房用温水の通流を遮断したときには、浴室２から吸い込まれた空気は、温風用熱交換器１３によって加熱されず、浴室２から吸い込まれた空気の温度が上昇せず浴室２内に戻される。
【００４９】
なお、浴室２から吸い込まれた空気が温風用熱交換器１３によって加熱されず、そのまま（温度が上昇することなく）、浴室２内に戻された場合は、浴室２における室外への放熱などによって、浴室２内の温度は低下していくことになる。
【００５０】
したがって、浴室暖房を実行したとき、浴室温度サーミスタＴＨ３による検出温度（浴室から吸い込んだ空気の温度）が、ミスト温度サーミスタ（ミスト用湯水温度検出手段）ＴＨ１で検出される温度より高いとき、制御部Ｂが、熱動弁１７を制御して暖房用温水管路１５を通流する暖房用温水の通流を遮断し、また、浴室温度サーミスタＴＨ３による検出温度（浴室から吸い込んだ空気の温度）が、ミスト温度サーミスタＴＨ１（ミスト用湯水温度検出手段）で検出される温度より低いとき、制御部Ｂが、熱動弁１７を制御して暖房用温水管路１５を通流する暖房用温水の通流を維持することによって、浴室２内の温度は、給湯手段（熱源機）１６から供給されるミスト用湯水の温度に制御されることになる。
【００５１】
上述のように構成された、この実施形態にかかる浴室暖房乾燥機Ａは、液々熱交換器を必要としないので製造コストを低減することが可能で、しかも、複雑な制御を必要とせず、簡単に浴室の温度を制御することができる。
【００５２】
つまり、給湯手段（熱源機）１６から供給されるミスト用湯水の温度は、ミスト用湯水温度設定部（図示せず）による設定温度に設定され、かつ、浴室から吸い込んだ空気の温度がミスト用湯水の温度となるように暖房用温水の通流が制御されるので、浴室の温度が、給湯手段（熱源機）１６が本来的に備えるミスト用湯水温度設定部による設定温度となるように簡単に制御することが可能で、別途浴室温度を設定するための浴室温度設定部を必要とすることなく、簡素な構成の浴用ミスト装置（を備えた浴室暖房乾燥機）を提供することが可能になる。
【００５３】
また、上述のように、取扱説明書に、「浴室の温度が、給湯手段が備えるミスト用湯水温度設定部における設定温度に維持される旨」、すなわち、「浴室暖房を行う場合において、浴室暖房についての希望暖房温度（暖房設定温度）を、給湯手段（熱源機）１６の出湯設定温度として指定することができる旨」が記載されているので、使用者は、給湯手段を兼ねる熱源機１６で設定された温度が、暖房設定温度となることを認識した上で、熱源機１６における給湯温度を設定することとなるため、構成が簡潔で、使い勝手のよい浴用ミスト装置（を備えた浴室暖房乾燥機）を実現することができる。
【００５４】
＜特徴的構成＞
この実施形態にかかる、浴用ミスト装置（を備えた浴室暖房乾燥機Ａ）は、上述のように構成されているばかりでなく、以下に説明するような特徴的な構成を備えている。
【００５５】
まず、この実施形態にかかる浴用ミスト装置は、給湯手段（熱源機）１６から供給され、ミスト用給湯管路２０を通流するミスト用湯水の温度を検出するミスト用湯水温度検出手段ＴＨ１を備えている。
【００５６】
さらに、この実施形態にかかる浴用ミスト装置は、ミスト運転の実行から停止への移行を行ったミスト運転停止時点から、ミスト運転の停止継続時間を計測する停止継続時間計測手段（図示せず）を備えている。すなわち、制御部Ｂが、ミスト運転の実行から停止への移行を行ったミスト運転停止時点から、ミスト運転の停止継続時間を計測するように構成されている。
【００５７】
そして、停止継続時間計測手段により計測された停止継続時間が閾値時間ＴＳ以下であるときには、浴室２の外（例えば脱衣所）に設置される浴室外用の操作器５が備える第１のミストサウナスイッチ３４、および、浴室２に設置される浴室内用（浴室内用）の操作器３０が備える第２のミストサウナスイッチ１３４が、ミスト噴霧開始指令手段として機能し、第１のミストサウナスイッチ３４の操作、あるいは、第２のミストサウナスイッチ１３４によって制御部Ｂがミスト運転を実行するように構成されている。
【００５８】
また、停止継続時間計測手段により計測された停止継続時間が閾値時間ＴＳを超えるときには、第２のミストサウナスイッチ１３４が操作されても制御部Ｂがミスト運転を実行せず、第１のミストサウナスイッチ３４がミスト噴霧開始指令手段として機能し、第１のミストサウナスイッチ３４の操作によって、制御部Ｂがミスト運転を実行するように構成されている。
【００５９】
また、この実施形態にかかる浴用ミスト装置は、制御部Ｂが、ミスト運転停止時点におけるミスト用湯水の温度（ミスト温度サーミスタＴＨ１による検出温度）ＴＴに応じて、停止継続時間に対する閾値時間ＴＳを設定して、メモリ２８に記憶する。つまり、この浴用ミスト装置は、ミスト運転停止時点におけるミスト用湯水の温度（ミスト温度サーミスタＴＨ１による検出温度）ＴＴに応じて、停止継続時間に対する閾値時間ＴＳを設定する閾値時間設定部（図示せず）を備えている。
【００６０】
この実施形態にかかる浴用ミスト装置においては、閾値時間設定部が、ミスト運転停止時点におけるミスト用湯水の温度ＴＴが所定の温度より低いときには閾値時間ＴＳを短く設定し、ミスト運転停止時点におけるミスト用湯水の温度ＴＴが所定の温度より高いときには閾値時間ＴＳを長く設定する（すなわち、ミスト運転停止時点におけるミスト用湯水の温度が高いほど、閾値時間を長く設定する）ように構成されている。
【００６１】
具体的には、ミスト運転停止時点におけるミスト用湯水の温度ＴＴ（ミスト温度サーミスタＴＨ１による検出温度）に応じて、閾値時間ＴＳが以下のように設定される。
ＴＴ≦３２℃のとき、        ＴＳ＝１９秒
３２℃＜ＴＴ≦３５℃のとき、ＴＳ＝２５秒
３５℃＜ＴＴ≦４０℃のとき、ＴＳ＝３５秒
４０℃＜ＴＴ≦４８℃のとき、ＴＳ＝４７秒
４８℃＜ＴＴ≦６０℃のとき、ＴＳ＝６１秒
【００６２】
上述のように閾値時間ＴＳを定めることにより、ミスト噴霧再開後のミスト噴霧温度を２５℃以上にすることが可能になり、低温のミストが噴出することにより使用者に不快感を与えることを回避できるようになる。
【００６３】
なお、この実施形態では、給湯手段（熱源機）１６が供給するミスト用温水は、３５℃未満に設定することができないように構成されている。
【００６４】
この実施形態では、ミスト運転停止時点におけるミスト用湯水の温度ＴＴに応じて、閾値時間ＴＳが離散的に設定されているが、ミスト運転停止時点におけるミスト用湯水の温度ＴＴを変数とする関数を用いて、閾値時間ＴＳが設定されるように構成してもよい。
【００６５】
そして、停止継続時間が閾値時間ＴＳ以下であるときには、浴室２の外に設置される浴室外用の操作器５が備える第１のミストサウナスイッチ３４、および、浴室２に設置される浴室内用の操作器３０が備える第２のミストサウナスイッチ１３４が、ミスト噴霧開始指令手段として機能し、第１のミストサウナスイッチ３４の操作、あるいは、第２のミストサウナスイッチ１３４によって制御部Ｂがミスト運転を実行する。
【００６６】
一方、停止継続時間が閾値時間ＴＳを超えるときには、第２のミストサウナスイッチ１３４が操作されても制御部Ｂがミスト運転を実行せず、停止状態が維持される（すなわち、第２のミストサウナスイッチ１３４は、ミスト噴霧開始指令手段として機能しない）。この場合、浴室２の外に設置される浴室外用の操作器５に備える第１のミストサウナスイッチ３４がミスト噴霧開始指令手段として機能し、浴室２の外に設置される浴室外用の操作器５に備える第１のミストサウナスイッチ３４の操作によって、制御部Ｂがミスト運転を実行する。
【００６７】
この実施形態にかかる浴用ミスト装置（を備えた浴室暖房乾燥機Ａ）は、上述したように、液々熱交換器を必要としないので製造コストを低減することが可能で、しかも、ミスト運転の停止継続時間が閾値時間ＴＳより長く、ミスト用温水の温度が低下することが予測されるときには、浴室内用の操作器３０に備える第２のミストサウナスイッチ１３４が操作されてもミスト運転を実行せず、浴室外用の第１のミストサウナスイッチ３４の操作のみによって、ミスト運転を実行するので、使用者が低温のミスト噴出部から噴霧されるミストを不用意に浴びることがより確実に抑制され、冷たい水の噴出により使用者に不快感を与えることを防止できる浴用ミスト装置を提供することが可能になる。
【００６８】
また、この実施形態の浴用ミスト装置では、上述のように、閾値時間設定部が、ミスト運転停止時点におけるミスト用湯水の温度が低いときに比べてミスト運転停止時点におけるミスト用湯水の温度が高いほど、閾値時間ＴＳを長く設定するように構成されているので、浴室内用の操作器３０が備える第２のミストサウナスイッチ１３４が操作されてもミスト運転を実行しない状態が、無用に高頻度に現出することを抑制することが可能で、使い勝手の良好な浴用ミスト装置を提供することができる。
【００６９】
また、この実施形態では、停止継続時間が閾値時間ＴＳより長いとき、浴室内用の操作器３０に備える第２のミストサウナスイッチ１３４が操作されてもミスト運転を実行しない旨を報知する報知部を備えている。
【００７０】
具体的には、停止継続時間計測手段により計測された停止継続時間が閾値時間ＴＳを超えるとき、浴室２内に設けた操作器３０に備える強ＬＥＤ１３４ａ、および、浴室２内に設けた操作器３０に備える弱ＬＥＤ１３４ｂが交互に点滅するように構成されている。
【００７１】
なお、浴室２内に設けた操作器３０に備える強ＬＥＤ１３４ａ、および、浴室２内に設けた操作器３０に備える弱ＬＥＤ１３４ｂが交互に点滅する状態は、停止継続時間が閾値時間ＴＳより長く、浴室内用の操作器３０に備える第２のミストサウナスイッチ１３４が操作されてもミスト運転を実行しない旨の報知である旨が、浴室暖房乾燥機Ａに付属する取扱い説明書に記載されている。
【００７２】
このように、浴室２内に設けた操作器３０に備える強ＬＥＤ１３４ａと弱ＬＥＤ１３４ｂの交互点滅によって、浴室内用の操作器３０に備える第２のミストサウナスイッチ１３４が操作されてもミスト運転を実行しない旨を使用者が知らせるように構成した場合、使用者は、制御部Ｂによる制御の状態を認識することが可能になり、さらに使い勝手のよい浴用ミスト装置を提供することが可能になる。
【００７３】
なお、本発明は、上記実施形態に限定されるものではなく、発明の範囲内において種々の応用、変形を加えることが可能である。
【符号の説明】
【００７４】
１        吸い込み口
２        浴室
３        吹き出し口
４（４ａ，４ｂ）    ミスト噴出手段（ミストノズル）
５        浴室外用（脱衣所用）の操作器
９        浴室暖房乾燥機本体
１２      グリル板
１３      温風用熱交換器
１４      送風機
１４ａ    循環ファン
１４ｂ    換気ファン
１６      給湯手段を兼ねる熱源機（暖房用温水供給用熱源機）
１７      熱動弁（暖房用温水通流制御部）
１８      可動ルーバー
１９      ミスト発生部
２０      ミスト用給湯管路
２１ａ    ミスト開閉弁
２１ｂ    ミスト開閉弁
２２      ストレーナ
２３      給湯電磁弁
２７      湿度検出手段（湿度センサ）
２８      メモリ
２９      演算回路
３０      浴室内用の操作器
３１      浴室外用の操作器のタイマー表示部（時間表示部）
３４      浴室外用の操作器のミスト噴霧開始指令手段（第１のミストサウナスイッチ）
３４ａ    強ランプ
３４ｂ    弱ランプ
３８      浴室外用の操作部の換気スイッチ
４０      浴室内用の操作器の状態表示部
５０      逆風止め
５１      往き配管
５２      往き配管接続部
６１      戻り配管
６２      戻り配管接続部
１３４    浴室内用の操作器のミスト噴霧開始指令手段（第２のミストサウナスイッチ）
１３４ａ  強ランプ
１３４ｂ  弱ランプ
Ａ        浴室暖房乾燥機
Ｂ        制御部
ＴＨ１    ミスト用湯水温度検出手段（ミスト温度サーミスタ）
ＴＨ２    往き温水温度検出手段（暖房温水サーミスタ）
ＴＨ３    浴室温度検出手段（浴室温度サーミスタ）
【図１】
2018064793.tif 000003
【図２】
2018064793.tif 000004
【図３】
2018064793.tif 000005
【図４】
2018064793.tif 000006
【図５】
2018064793.tif 000007
【図６】
2018064793.tif 000008